(57)【特許請求の範囲】
【請求項１】
一つの角部を切り欠くことにより切断角部を構成し残りの角部が非切断角部を構成する略矩形のメモリカードを挿脱可能な収納部、及び、該収納部に挿入したメモリカードの端子と電気的に導通するコンタクト、を有するハウジングと、
上記メモリカードと一緒に上記収納部内を、上記メモリカードが上記収納部の外側にあるときの位置である初期位置と、上記カードと一緒に上記収納部の奥側に押し込まれた押込位置との間でスライド可能なスライダと、
該スライダに設けた、上記メモリカードを正規姿勢で上記収納部に挿入したときに上記切断角部が当接する正規挿入時当接部、及び、上記メモリカードを非正規姿勢で上記収納部に挿入したときに上記非切断角部が当接する非正規挿入時当接部と、
上記ハウジングに固定した、上記初期位置に位置する上記スライダの上記正規挿入時当接部に上記切断角部が当接したときは、上記メモリカードによって被押圧部が押圧されることによりストッパ無効位置に位置し、上記初期位置に位置する上記スライダの上記非正規挿入時当接部に上記非切断角部が当接したときは、上記メモリカードが上記被押圧部と干渉せずストッパ有効位置に位置するストッパ切換用板バネと、
上記ストッパ切換用板バネに設けた、該ストッパ切換用板バネが上記ストッパ無効位置に位置するときは上記スライダが上記初期位置から上記押込位置まで移動するのを許容し、該ストッパ切換用板バネが上記ストッパ有効位置に位置するときは上記スライダが上記初期位置から上記押込位置まで移動するのを規制するストッパと、
を備え、
上記ストッパ切換用板バネが自由状態にあるとき、該ストッパ切換用板バネ及び上記ストッパが上記ハウジングの表面より上記収納部側に位置すること、及び
上記ストッパ切換用板バネ及び上記ストッパは、上記ストッパ切換用板バネが上記ストッパ有効位置に位置しかつ上記ストッパが上記スライダの初期位置から押込位置への移動を規制している状態において、平面視で、上記スライダと重複しない位置に存在すること、
を特徴とするメモリカード用コネクタ。
【請求項２】
請求項１記載のメモリカード用コネクタにおいて、
上記被押圧部の上記メモリカードによって押圧される部分が、上記ストッパより上記メモリカードの脱出方向側に位置するメモリカード用コネクタ。
【請求項３】
請求項２記載のメモリカード用コネクタにおいて、
片持ち状のバネである上記ストッパ切換用板バネの長手方向の中間部に、上記メモリカードに近づく方向に延びる上記被押圧部を形成したメモリカード用コネクタ。
【請求項４】
請求項１から３のいずれか１項記載のメモリカード用コネクタにおいて、
上記ストッパ切換用板バネが上記ストッパ有効位置に位置するときに上記スライダが上記初期位置から上記押込位置まで移動するのを規制し、かつ、上記ストッパ切換用板バネが自由状態にあるときに上記メモリカードの挿脱方向に対して直交する平面からなる規制面を、上記ストッパに形成したメモリカード用コネクタ。
【請求項５】
請求項１から４のいずれか１項記載のメモリカード用コネクタにおいて、
上記スライダが、上記ストッパ切換用板バネが上記ストッパ有効位置に位置するときに上記ストッパと当接する金属製の係合部を備えるメモリカード用コネクタ。
【請求項６】
請求項５記載のメモリカード用コネクタにおいて、
上記ハウジングが、共に挿入状態検出回路に接続しかつ互いに離間する第一検知用端子及び第二検知用端子を具備し、
上記スライダが上記押込位置まで移動したときに、上記係合部が上記第一検知用端子及び上記第二検知用端子に接触して該第一検知用端子と第二検知用端子を導通させるメモリカード用コネクタ。
【請求項７】
請求項１から６のいずれか１項記載のメモリカード用コネクタにおいて、
上記ハウジングが、
上面が開口する下部ハウジングと、
下面が開口し、上記下部ハウジングの上記上面開口を塞いだ状態で該下部ハウジングに固定する金属製の上部ハウジングと、
を備え、
上記上部ハウジングの一部に、金属製の上記ストッパ切換用板バネ及び上記ストッパを一体的に成形したメモリカード用コネクタ。
【請求項８】
請求項１から７のいずれか１項記載のメモリカード用コネクタにおいて、
上記ストッパ切換用板バネが、基端部から上記メモリカードの挿入方向に向かって延びる片持ち状のストッパ切換用板バネであり、
該ストッパ切換用板バネの先端近傍部又は先端部に上記被押圧部及び上記ストッパを形成したメモリカード用コネクタ。
【発明の詳細な説明】
【技術分野】
【０００１】
本発明は、ｍｉｃｒｏＳＤカード、ＳＩＭカード、及び、ｍｉｃｒｏＳＩＭカード等のメモリカード用コネクタに関する。
【背景技術】
【０００２】
この種のメモリカード用コネクタの従来技術としては、例えば特許文献１に開示されたものがある。
このメモリカード用コネクタは、メモリカードを挿脱可能に受け入れる収納部を備えるハウジングと、収納部内をメモリカードと一緒にスライド可能なスライダ（スライド部材）と、を備えている。収納部の底面には、収納部に挿入したメモリカードの端子と電気的に導通可能な多数のコンタクトが設けてある。スライダはメモリカードの端子とハウジングのコンタクトが非接触となる初期位置と、端子とコンタクトが接触する押込位置と、の間をハウジングに対してスライド可能である。
【０００３】
特許文献１のメモリカードは平面視略矩形であるが、四つの角部のうちの一つには切り欠き部が形成してあるので、全体として非対称形状である。
また、スライダには張り出し部が形成してある。この張り出し部は、メモリカードを正規姿勢でハウジング（収納部）に挿入したときは、メモリカードの切り欠き部と係合し、メモリカードがスライダと一緒に初期位置から押込位置までスライドするのを許容する。しかし、メモリカードを非正規姿勢でハウジング（収納部）に挿入すると、張り出し部は、メモリカードの切り欠き部以外の角部と当接することによりメモリカード全体をハウジングに対して傾斜させる。すると、メモリカードの一部が、ハウジングの側縁部に形成した貫通孔に嵌るので、メモリカードと一体化したスライダは初期位置から押込位置までスライドできなくなる。
【先行技術文献】
【特許文献】
【０００４】
【特許文献１】特開２００７−１５７５２４号公報
【発明の概要】
【発明が解決しようとする課題】
【０００５】
特許文献１のメモリカード用コネクタは、メモリカード全体を特定の角度に傾斜させてハウジングの貫通孔と係合させることにより、非正規姿勢のメモリカードがスライダと一緒に押込位置までスライドするのを防止するものなので、特定形状のメモリカード以外のメモリカードの誤挿入を防止することができない（適用可能なメモリカードの範囲が狭い）。
【０００６】
本発明の目的は、メモリカードを回転させることなく非正規姿勢のメモリカードがコンタクトと導通する位置まで移動するのを防止でき、しかも構造が簡単で全体を低背化できるメモリカード用コネクタを提供することにある。
【課題を解決するための手段】
【０００７】
本発明のメモリカード用コネクタは、一つの角部を切り欠くことにより切断角部を構成し残りの角部が非切断角部を構成する略矩形のメモリカードを挿脱可能な収納部、及び、該収納部に挿入したメモリカードの端子と電気的に導通するコンタクト、を有するハウジングと、上記メモリカードと一緒に上記収納部内を、上記メモリカードが上記収納部の外側にあるときの位置である初期位置と、上記カードと一緒に上記収納部の奥側に押し込まれた押込位置との間でスライド可能なスライダと、該スライダに設けた、上記メモリカードを正規姿勢で上記収納部に挿入したときに上記切断角部が当接する正規挿入時当接部、及び、上記メモリカードを非正規姿勢で上記収納部に挿入したときに上記非切断角部が当接する非正規挿入時当接部と、上記ハウジングに固定した、上記初期位置に位置する上記スライダの上記正規挿入時当接部に上記切断角部が当接したときは、上記メモリカードによって被押圧部が押圧されることによりストッパ無効位置に位置し、上記初期位置に位置する上記スライダの上記非正規挿入時当接部に上記非切断角部が当接したときは、上記メモリカードが上記被押圧部と干渉せずストッパ有効位置に位置するストッパ切換用板バネと、上記ストッパ切換用板バネに設けた、該ストッパ切換用板バネが上記ストッパ無効位置に位置するときは上記スライダが上記初期位置から上記押込位置まで移動するのを許容し、該ストッパ切換用板バネが上記ストッパ有効位置に位置するときは上記スライダが上記初期位置から上記押込位置まで移動するのを規制するストッパと、を備え、上記ストッパ切換用板バネが自由状態にあるとき、該ストッパ切換用板バネ及び上記ストッパが上記ハウジングの表面より上記収納部側に位置すること、及び上記ストッパ切換用板バネ及び上記ストッパは、上記ストッパ切換用板バネが上記ストッパ有効位置に位置しかつ上記ストッパが上記スライダの初期位置から押込位置への移動を規制している状態において、平面視で、上記スライダと重複しない位置に存在することを特徴としている。
【０００８】
上記被押圧部の上記メモリカードによって押圧される部分が、上記ストッパより上記メモリカードの脱出方向側に位置してもよい。
【０００９】
片持ち状のバネである上記ストッパ切換用板バネの長手方向の中間部に、上記メモリカードに近づく方向に延びる上記被押圧部を形成してもよい。
さらに、上記ストッパ切換用板バネが上記ストッパ有効位置に位置するときに上記スライダが上記初期位置から上記押込位置まで移動するのを規制し、かつ、上記ストッパ切換用板バネが自由状態にあるときに上記メモリカードの挿脱方向に対して直交する平面からなる規制面を、上記ストッパに形成してもよい。
【００１０】
上記スライダが、上記ストッパ切換用板バネが上記ストッパ有効位置に位置するときに上記ストッパと当接する金属製の係合部を備えてもよい。
上記ハウジングが、共に挿入状態検出回路に接続しかつ互いに離間する第一検知用端子及び第二検知用端子を具備し、上記スライダが上記押込位置まで移動したときに、上記係合部が上記第一検知用端子及び上記第二検知用端子に接触して該第一検知用端子と第二検知用端子を導通させるようにしてもよい。
【００１１】
上記ハウジングが、上面が開口する下部ハウジングと、下面が開口し、上記下部ハウジングの上記上面開口を塞いだ状態で該下部ハウジングに固定する金属製の上部ハウジングと、を備え、上記上部ハウジングの一部に、金属製の上記ストッパ切換用板バネ及び上記ストッパを一体的に成形してもよい。
【００１２】
上記ストッパ切換用板バネが、基端部から上記メモリカードの挿入方向に向かって延びる片持ち状のストッパ切換用板バネであり、該ストッパ切換用板バネの先端近傍部又は先端部に上記被押圧部及び上記ストッパを形成してもよい。
【発明の効果】
【００１３】
本発明のメモリカード用コネクタは、非正規姿勢のメモリカードをハウジングの収納部に挿入したときに、（メモリカードを回転させてハウジングに形成した孔に係合させるのではなく）ストッパ切換用板バネ（被押圧部及びストッパ）を利用してスライダが初期位置から押込位置まで移動するのを規制することにより、メモリカードがコンタクトと導通するのを防止する。そのため、一つの角部に切り欠きを有しかつ全体として略矩形状をなす様々な形状のメモリカードの誤挿入を防止できる。
また、ストッパ切換用板バネが自由状態にあるとき、ストッパ切換用板バネ及びストッパが収納部内に位置するので、全体を低背化できる。
さらに、ハウジングに固定したストッパ切換用板バネ（及び、被押圧部とストッパ）を利用した構造であるため、構造が簡単である。
【図面の簡単な説明】
【００１４】
【図１】本発明の一実施形態のコネクタとｍｉｃｒｏＳＩＭカードの前斜め上方から見た斜視図である。
【図２】コネクタとｍｉｃｒｏＳＩＭカードの前斜め下方から見た斜視図である。
【図３】コネクタの上方から見た分解斜視図である。
【図４】コネクタの下方から見た分解斜視図である。
【図５】コネクタの平面図である。
【図６】上部ハウジングを取り外したときのコネクタの平面図である。
【図７】図６のVII−VII矢線に沿う断面図である。
【図８】（ａ）は金属製一体部材の平面図、（ｂ）は金属製一体部材の上方から見た斜視図である。
【図９】（ａ）はアウトサート成形により構成した金属製一体部材とインシュレータの一体物の平面図、（ｂ）は同一体物の上方から見た斜視図である。
【図１０】（ａ）は図９の一体物の各ブリッジを切断することにより完成した下部ハウジングの平面図、（ｂ）は下部ハウジングの上方から見た斜視図である。
【図１１】スライダを構成するスライダ本体と導通兼係合部材の前方から見た分解斜視図である。
【図１２】スライダ本体と導通兼係合部材の後方から見た分解斜視図である。
【図１３】ｍｉｃｒｏＳＩＭカードを正規姿勢でコネクタの内部に挿入し始めたときの上部ハウジング及び圧縮コイルバネを省略して示す平面図である。
【図１４】ｍｉｃｒｏＳＩＭカードを正規姿勢でコネクタの内部に挿入し始めたときのコネクタの平面図である。
【図１５】図１４のXV−XV矢線に沿う断面図である。
【図１６】図１４のXVI−XVI矢線に沿う断面図である。
【図１７】ｍｉｃｒｏＳＩＭカードの切断角部が初期位置に位置するスライダ本体の正規挿入時当接部に当接したときの図１３と同様の平面図である。
【図１８】図１７の状態のときの図１５と同様の断面図である。
【図１９】図１７の状態のときの図１６と同様の断面図である。
【図２０】スライダが押込位置までスライドしたときの図１３と同様の平面図である。
【図２１】図２０の状態のときの図１５と同様の断面図である。
【図２２】図２０の状態のときの図１６と同様の断面図である。
【図２３】図２０のXXIII−XXIII矢線に沿う断面図である。
【図２４】非正規姿勢でコネクタの内部に挿入したｍｉｃｒｏＳＩＭカードの非切断角部が初期位置に位置するスライダ本体の非正規挿入時当接部に当接したときの上部ハウジング及び圧縮コイルバネを省略して示す平面図である。
【図２５】図２４の状態のときの図１５と同様の断面図である。
【図２６】図２４の状態のときの図１６と同様の断面図である。
【図２７】変形例のストッパ切換用板バネ及びその周辺部の上方から見た拡大斜視図である。
【図２８】変形例の図１５と同様の断面図である。
【図２９】変形例の図１６と同様の断面図である。
【図３０】変形例の図１８と同様の断面図である。
【図３１】変形例の図２５と同様の断面図である。
【発明を実施するための形態】
【００１５】
以下、添付図面を参照しながら本発明の一実施形態について説明する。なお、以下の説明中の前後、上下、及び左右の方向は図中に記載した矢印の方向を基準としている。
本実施形態のメモリカード用コネクタ１０は携帯端末に対して着脱可能なｍｉｃｒｏＳＩＭカードＭＣ用のコネクタである。
メモリカード用コネクタ１０は大きな構成要素として下部ハウジング１５（ハウジング）、スライダ４０、カムバー６０、上部ハウジング６５（ハウジング）、及び、圧縮コイルバネＳ１を具備している。
【００１６】
平面視略矩形の下部ハウジング１５は、左側部構成片１７と、右側部構成片２２と、８つのコンタクトＣ１〜Ｃ８と、第一検知用端子Ｃ９、第二検知用端子Ｃ１０と、絶縁性かつ耐熱性の合成樹脂料からなるインシュレータ２７と、を具備する一体成形品である。
左側部構成片１７、右側部構成片２２、コンタクトＣ１〜Ｃ８、第一検知用端子Ｃ９、及び、第二検知用端子Ｃ１０は一枚の金属板をプレス成形することにより構成したものであり、図８（ａ）（ｂ）に示すように下部ハウジング１５の構成前（プレス成形直後）においては単一の金属製一体部材１６の一部をそれぞれ構成している。
左側部構成片１７は、水平板状のスライダ支持部１８と、スライダ支持部１８の左側縁部から上方に立ち上がった左側壁部１９と、左側壁部１９の左側面に突設した３つの左側係止突起２０と、を具備するものである。
右側部構成片２２は、水平板状の底部構成部２３と、底部構成部２３の右側縁部から上方に立ち上がった右側壁部２４と、右側壁部２４の右側面に突設した３つの右側係止突起２５と、を具備するものである。
コンタクトＣ１〜Ｃ８は、その基端部（前端部）から後ろ斜め上方に向かって延びる接触片Ｃ１ａ〜Ｃ８ａと、金属製一体部材１６の後端部に突設した、スライダ支持部１８及び底部構成部２３の一段下方に位置し、かつ、接触片Ｃ１ａ〜Ｃ８ａとそれぞれ連続するテール片Ｃ１ｂ〜Ｃ８ｂと、を一体的に有している。
第一検知用端子Ｃ９と第二検知用端子Ｃ１０は、その基端部（前端部）から後ろ斜め上方に向かって延びる接触片Ｃ９ａ、Ｃ１０ａと、金属製一体部材１６の後端部に突設した、スライダ支持部１８及び底部構成部２３の一段下方に位置し、かつ接触片Ｃ９ａ、Ｃ１０ａとそれぞれ連続するテール片Ｃ９ｂ、Ｃ１０ｂと、を一体的に有している。
図示するように金属製一体部材１６は、隣接する左側部構成片１７、右側部構成片２２、コンタクトＣ１〜Ｃ８、第一検知用端子Ｃ９、及び、第二検知用端子Ｃ１０を互いに接続する計１８個の切断ブリッジＢ１〜Ｂ１８を有している。
【００１７】
図９（ａ）（ｂ）に示すように、インシュレータ２７は図示を省略した金型内で金属製一体部材１６に対してアウトサート成形を行うことにより金属製一体部材１６と一体化したものであり、下部ハウジング１５の底面部を構成する底面構成部２８と、カムバー支持部３２と、後部壁３４と、を備えている。
底面構成部２８には、接触片Ｃ１ａ〜Ｃ１０ａを露出させるための計９個のコンタクト露出孔２９と、切断ブリッジＢ１〜Ｂ１８を露出させるための計１８個の円形孔からなるブリッジ露出孔３０と、が形成してある。下部ハウジング１５の左側部の前端部を構成するカムバー支持部３２の上面には下方に向かって凹むカムバー支持溝３３が形成してある。下部ハウジング１５の後端部を構成する後部壁３４の左側部には前方に向かって突出するバネ支持用突起３５が形成してある。さらに、図示するように左側部構成片１７のスライダ支持部１８は、底面構成部２８（の左側縁部）に対して一段下方に位置している（左側部構成片１７の上面と底面構成部２８の上面の間には段差がある）。左側壁部１９の右側面と底面構成部２８の左側面とスライダ支持部１８の上面とで囲まれた部分はスライド溝３７を構成している。
アウトサート成形時においては、左側部構成片１７、右側部構成片２２、コンタクトＣ１〜Ｃ８、第一検知用端子Ｃ９、及び、第二検知用端子Ｃ１０は、切断ブリッジＢ１〜Ｂ１８によって互いに一体化しているので、左側部構成片１７、右側部構成片２２、コンタクトＣ１〜Ｃ８、第一検知用端子Ｃ９、及び、第二検知用端子Ｃ１０がアウトサート以前の工程およびアウトサート成形工程（金型内）でばらけたり位置ずれしたりすることはない。
上記金型を開いて該金型から金属製一体部材１６とインシュレータ２７の一体物を取り出した後に、図示を省略した切断装置を用いて各ブリッジ露出孔３０から露出する切断ブリッジＢ１〜Ｂ１８を物理的に切断（切断ブリッジＢ１〜Ｂ１８を二つに分断して、分断された二つの部位を互いに離間させる）すれば、図１０（ａ）（ｂ）に示す下部ハウジング１５が得られる。図示するように下部ハウジング１５の内部空間は左側壁部１９、右側壁部２４、後部壁３４によって囲まれた収納部３８となっている。
【００１８】
スライダ４０はスライダ本体４１と導通兼係合部材５３を一体化したものである。
耐熱性の合成樹脂材からなるスライダ本体４１は、前後方向に延び、かつ、スライド溝３７に対して自身の下端部がスライド自在に係合する直線状部４２と、直線状部４２の後端部から右側に突出する当接用端部４３と、を備えている。
直線状部４２の上面の前部には、平面視で略ハート形状をなすハートカム溝４４が凹設してある。ハートカム溝４４はハート形凸部４５の周囲に凹設した多数の段差を有する溝であり、その後部をなし前後方向に直線的に延びる初期係合部４４ａと、ハート形凸部４５の右側に位置する押し込み時通過部４４ｂと、ハート形凸部４５の前端部に位置する保持部４４ｃと、ハート形凸部４５の左側に位置する戻り時通過部４４ｄ、とを有している。
スライダ本体４１の後部の左半部には、後方に向かって延びる円柱状のバネ支持軸４６が突設してある。当接用端部４３の前面には、前後方向に延びる直線に対して直交する平面である非正規挿入時当接部４８が形成してあり、非正規挿入時当接部４８の右側には、平面視において非正規挿入時当接部４８に対して傾斜する平面である正規挿入時当接部４９が形成してある。またスライダ本体４１の下面には、スライダ本体４１の後端部からスライダ本体４１の中央部にまで広がる下面取付溝５０が凹設してあり、スライダ本体４１の後端面には下面取付溝５０の後端部と連続する後端取付溝５１が凹設してある。また、スライダ本体４１の後端部には上向きの係止突部５２が突設してある。
金属製のプレス成形品である導通兼係合部材５３は、略前後方向に延びる嵌合部５４と、嵌合部５４の後端の下縁部から右側に延びる底部５５と、底部５５の後縁部から上方に立ち上がる係合部５６と、を備えている。係合部５６の下縁部には抜止溝５７が形成してあり、底部５５と係合部５６の接続縁部はＲ面となっている。
スライダ４０は、導通兼係合部材５３の嵌合部５４及び底部５５を下方から下面取付溝５０に対して嵌合し、抜止溝５７を上方から係止突部５２に対して係合しながら係合部５６を後端取付溝５１に対して嵌合して、スライダ本体４１と導通兼係合部材５３を一体化することにより構成する。
スライダ４０は、図６、図１３、図１７、図２４等に示す初期位置と、図２０に示す押込位置との間を、スライド溝３７に沿って下部ハウジング１５に対して前後方向にスライド可能である。さらに、スライダ４０の後端部と後部壁３４の左側部との間には圧縮コイルバネＳ１が自由状態より縮んだ（弾性変形した）状態で配設してある。圧縮コイルバネＳ１の前部にはバネ支持軸４６が挿入してあり、圧縮コイルバネＳ１の後端部はバネ支持用突起３５と係止している。そのため圧縮コイルバネＳ１からスライダ４０に対して常に前向きの付勢力が及ぶので、スライダ４０に対して圧縮コイルバネＳ１以外の外力が及ばないとき、スライダ４０は初期位置に位置する。
【００１９】
金属製のカムバー６０は、下部ハウジング１５とスライダ本体４１を連係する部材である。カムバー６０はその前後両端部に下向きに屈曲する前端係合突部６１と後端係合突部６２を有している。前端係合突部６１は下部ハウジング１５（カムバー支持部３２）のカムバー支持溝３３に対して回転可能に係合しており、後端係合突部６２はスライダ本体４１のハートカム溝４４に相対移動可能に係合している。
【００２０】
スライダ４０、カムバー６０、及び、圧縮コイルバネＳ１を収納する下部ハウジング１５の上部は上部ハウジング６５によって覆われている。
金属板のプレス成形品である上部ハウジング６５の左右両側壁には計６つの係合孔６６が形成してあり、各係合孔６６を下部ハウジング１５の対応する左側係止突起２０と右側係止突起２５に対して嵌合することにより、上部ハウジング６５を下部ハウジング１５に装着している。上部ハウジング６５の天井面には６個の円形孔６５ａが穿設してあるので、各円形孔６５ａを通して下部ハウジング１５内部、特にコンタクトＣ１〜Ｃ４、Ｃ７、Ｃ８の接触片Ｃ１ａ〜Ｃ４ａ、Ｃ７ａ、Ｃ８ａの様子を視認することが可能である。さらに上部ハウジング６５の左右両側面の前端部には内向き略水平のテール片６５ｂが突設してある。
上部ハウジング６５の上面の前側の左側角部近傍には、プレス成形時に成形されるカムバー付勢用板バネ６７が設けてある。カムバー付勢用板バネ６７は、その基端部（前端部）から後斜め下方に向かって延びる片持ち式の板バネであり、カムバー付勢用板バネ６７は自由状態において上部ハウジング６５の天井面より下方に位置している。カムバー付勢用板バネ６７はカムバー６０を常に下部ハウジング１５の底面側（下向き）に向けて付勢しているため、カムバー６０の前端係合突部６１とカムバー支持溝３３の係合状態、及び、後端係合突部６２とハートカム溝４４の係合状態が常に維持される。
【００２１】
上部ハウジング６５の上面の略中央部には、共にプレス成形時に成形される中央孔７３と、中央孔７３の内部に位置するストッパ切換用板バネ６８と、が設けてある。また、中央孔７３にはストッパ切換用板バネ６８の左右両側に位置する領域が存在し、この領域を通してコンタクトＣ５、Ｃ６の接触片Ｃ５ａ、Ｃ６ａを視認可能である。
ストッパ切換用板バネ６８は、その基端部（前端部）から後方に向かって延びる片持ち式の板バネであり、自由状態にあるときストッパ切換用板バネ６８は、前部６９が上部ハウジング６５の天井部と同一平面上に位置し、かつ、後部７０が上部ハウジング６５の天井部より下方に位置するストッパ有効位置に位置する（図３、図１５等を参照）。一方、被押圧部７２が上方に押圧されると、ストッパ切換用板バネ６８は上方に向けて弾性変形することにより図１８、図２１等に示すストッパ無効位置に移動する。
後部７０の先端部（後端部）には左側に向かって突出するストッパ７１が形成してある。図１、図１４等に示すように、スライダ４０が初期位置に位置しかつストッパ切換用板バネ６８がストッパ有効位置に位置するとき、ストッパ７１の平面からなる前面（規制面）に対して係合部５６の後面が前方から係合するので（図１６に示すように、このとき側面視でストッパ７１が水平方向に対して僅かに傾斜するので、厳密には規制面の下縁部に対して係合部５６の後面が前方から係合する）、スライダ４０は初期位置に保持される（押込位置へのスライドが規制される）。
ストッパ切換用板バネ６８及びストッパ７１は、ストッパ切換用板バネ６８がストッパ有効位置に位置しかつスライダ４０の初期位置から押込位置への移動を規制している状態において、平面視でスライダ４０及び係合部５６と重複しない位置に存在している（図１、図５）。
さらに後部７０の略中央部のストッパ７１の前面より前方に位置する部位には、該中央部を切り欠くことにより形成した被押圧部７２が設けてある。被押圧部７２は、後部７０に対して自身の基端部（前端部）から後斜め下方に向かって延びる突片であり、実質的に弾性変形不能である。
【００２２】
以上説明した構成のメモリカード用コネクタ１０は、回路基板ＣＢ（図１、図７の仮想線参照）の上面（回路形成面）に実装する。具体的には、メモリカード用コネクタ１０の上方に位置する吸引手段（図示略）によって上部ハウジング６５の上面を吸着し、該吸引手段を移動させることによりコンタクトＣ１〜Ｃ８の各テール片Ｃ１ｂ〜Ｃ８ｂを回路基板ＣＢ上の回路パターンに塗布した半田ペーストに載せ、第一検知用端子Ｃ９、及び、第二検知用端子Ｃ１０のテール片Ｃ９ｂ、Ｃ１０ｂを回路基板ＣＢ上の挿入状態検出回路パターン（挿入状態検出回路）に塗布した半田ペーストに載せ、かつ、テール片６５ｂを回路基板ＣＢ上の接地パターンに塗布した半田ペーストに載せ、リフロー炉において各半田ペーストを加熱溶融し、各テール片Ｃ１ｂ〜Ｃ１０ｂ、６５ｂを上記各パターンに半田付けする。
【００２３】
次に以上構成のメモリカード用コネクタ１０にカードＭＣを挿脱するときの動作について説明する。
平面視略矩形をなすカードＭＣの下面には８つの端子ＭＣ１が形成してある。またカードＭＣの４つの角部のうちの一つ（図１、図２、図１３〜図２２の左後方の角部）は、当該角部を通る対角線に対して略直交する直線によって切り落とされた（切り欠かれた）切断角部ＭＣ２を構成しており、残りの角部は非切断角部ＭＣ３となっている。
メモリカード用コネクタ１０にカードＭＣを挿入していない状態においては、圧縮コイルバネＳ１の付勢力によってスライダ４０は初期位置に位置し、さらにカムバー６０の後端係合突部６２がハートカム溝４４の初期係合部４４ａに係合する（図５、図６参照）。
この状態で正規姿勢（端子ＭＣ１が下方に位置し、左側後方の角部が切断角部ＭＣ２となる姿勢）としたカードＭＣをメモリカード用コネクタ１０の前面開口部から収納部３８内に挿入し（図１３〜図１６参照）、カードＭＣをさらに後方に押し込むと、カードＭＣの下面が接触片Ｃ１ａ〜Ｃ４ａに当接し、さらに切断角部ＭＣ２がスライダ本体４１（当接用端部４３）の正規挿入時当接部４９に当接するので、カードＭＣとスライダ４０が一体化する（図１７〜図１９参照）。さらに、このときカードＭＣの上面の後端部（切断角部ＭＣ２の右側に位置する部分）が被押圧部７２のストッパ７１より前方に位置する部位に接触して当該部分を上方に押圧するので、ストッパ有効位置に位置していたストッパ切換用板バネ６８が弾性変形してストッパ無効位置に移動する（図１８参照）。ストッパ切換用板バネ６８がストッパ無効位置に移動すると、それまで係合部５６の後面と係合していたストッパ７１が係合部５６の上方に移動するので（図１９参照）、スライダ４０は初期位置から押込位置側へスライド可能になる。
【００２４】
従って、この状態からカードＭＣをさらに後方に押圧すると、スライダ４０が圧縮コイルバネＳ１の付勢力に抗して（圧縮コイルバネＳ１を圧縮方向に弾性変形させながら）後方にスライドするので、初期係合部４４ａの中央部に係合していたカムバー６０の後端係合突部６２が初期係合部４４ａの前部及び押し込み時通過部４４ｂをスライダ４０に対して前方に相対移動する（初期係合部４４ａの前部と押し込み時通過部４４ｂに対して順に係合する）。そして、カムバー６０の後端係合突部６２が押し込み時通過部４４ｂの前端部（ハート形凸部４５の前方に位置する部分）まで移動したときに、スライダ４０は押込位置に到達する（図２０〜図２３参照）。
スライダ４０が押込位置に到達した後にカードＭＣに対する後方への押圧力を解除すると、圧縮コイルバネＳ１の付勢力によって前方に押圧された（押し戻された）スライダ本体４１の保持部４４ｃがカムバー６０の後端係合突部６２に対して係合するので、スライダ４０は押込位置に保持される（スライダ４０の前方へのスライドが規制される）。スライダ４０が押込位置に到達すると、カードＭＣの各端子ＭＣ１が対応するコンタクトＣ１〜Ｃ８（接触片Ｃ１ａ〜Ｃ８ａ）とそれぞれ接触するので、コンタクトＣ１〜Ｃ８を介してカードＭＣと回路基板ＣＢが電気的に導通する。
さらに、スライダ４０が押込位置まで移動すると、導通兼係合部材５３の底部５５が接触片Ｃ９ａ及び接触片Ｃ１０ａに接触する（接触片Ｃ９ａ及び接触片Ｃ１０ａを下方に弾性変形させる）ので（図２３参照）、接触片Ｃ９ａと接触片Ｃ１０ａが互いに電気的に導通する。すると回路基板ＣＢに形成した上記挿入状態検出回路パターンが携帯端末の制御部に検知信号を送るので、該制御部は該携帯端末（メモリカード用コネクタ１０）にカードＭＣが正しく挿入されたことを検知する。
【００２５】
スライダ４０が押込位置に保持された状態で、カードＭＣを再度圧縮コイルバネＳ１の付勢力に抗して後方に押し込んだ後にカードＭＣに対する後方への押圧力を解除すると、圧縮コイルバネＳ１による前向きの付勢力により後端係合突部６２が保持部４４ｃから後方に離れた後に戻り時通過部４４ｄ側に移動し（係合し）、戻り時通過部４４ｄを通って初期係合部４４ａの中央部まで自動的に移動する。従って、スライダ４０は初期位置に復帰し（図１７〜図１９参照）、さらに導通兼係合部材５３の底部５５が接触片Ｃ９ａ及び接触片Ｃ１０ａから離間するので（接触片Ｃ９ａと接触片Ｃ１０ａが非導通状態になるので）、上記制御部がこのことを検知する。
スライダ４０が初期位置に復帰すると、ストッパ無効位置に位置していたストッパ切換用板バネ６８が自身の弾性復帰力によってストッパ有効位置に移動（復帰）するので、ストッパ７１の前面に対して係合部５６の後面が前方から係合し、スライダ４０の押込位置へのスライドが規制される（スライダ４０が初期位置に保持される）。その結果、カードＭＣを手で掴んでメモリカード用コネクタ１０から前方に引き出すことが可能になる。                                                                               
【００２６】
次に、図２４〜図２６に示す非正規姿勢（端子ＭＣ１が上方に位置する姿勢）でカードＭＣをメモリカード用コネクタ１０の前面開口部から収納部３８に挿入した場合について説明する。
この場合は図示するように初期位置に位置するスライダ本体４１（当接用端部４３）の非正規挿入時当接部４８に対してカードＭＣの非切断角部ＭＣ３（後端側の左側角部）の前面が当接し、カードＭＣとスライダ４０が一体化する。このときのカードＭＣの後端位置は正規姿勢でカードＭＣを挿入したとき（図１７参照）に比べて前方に位置するので、カードＭＣの上面の後端部は被押圧部７２を上方に押圧しない（被押圧部７２の前方に位置する。図２５参照）。そのため、ストッパ切換用板バネ６８がストッパ有効位置に位置し、ストッパ７１が係合部５６と当接し続けるので（図２６参照）、スライダ４０は初期位置から押込位置側へのスライドが規制されたままとなるので、この状態でカードＭＣを後方に押圧してもカードＭＣ及びスライダ４０が押込位置までスライドすることはなく、さらに導通兼係合部材５３の底部５５が接触片Ｃ９ａ及び接触片Ｃ１０ａに接触することもない。
なお、図２４〜図２６に示したのとは異なる態様の非正規姿勢（例えば、端子ＭＣ１が下方に位置し、かつ、切断角部ＭＣ２がカードＭＣの前端側に位置する姿勢）の場合も、カードＭＣをメモリカード用コネクタ１０の収納部３８に挿入するとスライダ本体４１（当接用端部４３）の非正規挿入時当接部４８に対してカードＭＣの非切断角部ＭＣ３（後端側の左側角部）の前面が当接するので、この場合もスライダ４０が初期位置から押込位置側へスライドすることはない。
【００２７】
以上説明したように本実施形態のメモリカード用コネクタ１０は、カードＭＣをメモリカード用コネクタ１０に対して傾斜させてハウジングに形成した孔に係合させるのではなく、ストッパ切換用板バネ６８（被押圧部７２及びストッパ７１）を利用してスライダ４０が初期位置から押込位置まで移動するのを規制することにより、非正規姿勢で挿入されたカードＭＣの端子ＭＣ１がコンタクトＣ１〜Ｃ８（接触片Ｃ１ａ〜Ｃ８ａ）と接触するのを確実に防止する。そのため、一つの角部に切り欠き（切断角部ＭＣ２）を有しかつ全体として略矩形状をなす様々な形状のメモリカードの誤挿入を防止できる。
また、ストッパ切換用板バネ６８が自由状態にあるとき（カードＭＣをメモリカード用コネクタ１０に挿入しないとき）、ストッパ切換用板バネ６８全体が収納部３８内に位置する（上部ハウジング６５の上面より収納部３８側に位置する）ので、メモリカード用コネクタ１０全体を低背化できる。
さらに、メモリカード用コネクタ１０は上部ハウジング６５に設けたストッパ切換用板バネ６８を利用した構造であるため、部品を増加させず構造が簡単である。
【００２８】
また、金属製のストッパ７１と当接する導通兼係合部材５３を金属製にしているので、ストッパ７１と係合部５６を当接させたり、又はストッパ７１と係合部５６が当接している状態でカードＭＣを強い力で押し込んでも、係合部５６（導通兼係合部材５３）とストッパ７１（ストッパ切換用板バネ６８）は共に破壊し難い。そのためカードＭＣの挿脱操作を繰り返し行っても、カードＭＣの誤挿入を確実に防止できる（メモリカード用コネクタ１０を低背かつ小型にした結果、係合部５６（導通兼係合部材５３）とストッパ７１（ストッパ切換用板バネ６８）が小型化した場合も同様の効果を発揮可能である）。
さらに、導通兼係合部材５３は、正規姿勢で挿入したカードＭＣと当接する機能だけでなく、第一検知用端子Ｃ９（接触片Ｃ９ａ）と第二検知用端子Ｃ１０（接触片Ｃ１０ａ）を導通させる機能も備えているので、正規姿勢で挿入したカードＭＣと当接する部材と、第一検知用端子Ｃ９（接触片Ｃ９ａ）と第二検知用端子Ｃ１０（接触片Ｃ１０ａ）を導通させる部材と、を互いに別部材とする場合に比べて、メモリカード用コネクタ１０を簡単にかつ低コストで製造できる。
【００２９】
上部ハウジング６５にストッパ切換用板バネ６８を一体的に形成しているので、上部ハウジング６５とストッパ切換用板バネ６８を別部材とした場合に比べて、ストッパ切換用板バネ６８を簡単にかつ低コストで製造することが可能である。
さらに、ストッパ切換用板バネ６８は、基端部（前端部）から後方に向かって延びる形状としてあり、ストッパ切換用板バネ６８の後端部（後端近傍部）にストッパ７１と被押圧部７２を形成している。そのためストッパ切換用板バネ６８を、基端部（後端部）から前方に向かって延びる形状とし、かつ、ストッパ切換用板バネ６８の前端部（前端近傍部）にストッパ７１と被押圧部７２を形成する場合に比べて、上部ハウジング６５（及びメモリカード用コネクタ１０）の前後寸法をコンパクトにすることが可能である。
【００３０】
本発明は上記実施形態に限定されるものではなく、様々な変形を施しながら実施可能である。
例えば、ｍｉｃｏＳＩＭカードＭＣ以外のメモリカード（例えば、ｍｉｃｒｏＳＤカード、ＳＩＭカードなど）を挿脱するためのメモリカード用コネクタに本発明を適用してもよい。またメモリカードの形状は、一つの角部を切り欠くことにより切断角部とし、残りの角部を（切り欠かない）非切断角部とした略矩形であれば、図示形状とは異なる形状であってもよい。
さらに、メモリカード用コネクタ１０を携帯端末以外の機器（例えば、ＰＤＡ、パーソナルコンピュータ、デジタルカメラ、デジタルビデオカメラ等）に実装してもよい。
【００３１】
さらに、スライダ本体４１と導通兼係合部材５３を一体成形（例えばインサート成形）することによりスライダ４０を構成したり、スライダ４０全体を同一材料（例えば、樹脂や金属など）により一体成形してもよい。
また、上部ハウジング６５とストッパ切換用板バネ６８（及び、後述するストッパ切換用板バネ６８’）を別体として成形した後に、ストッパ切換用板バネ６８（ストッパ切換用板バネ６８’）の基端部を上部ハウジング６５に固定してもよいし、ストッパ７１（７１’）や被押圧部７２（被押圧部６８ａ）をストッパ切換用板バネ６８（ストッパ切換用板バネ６８’）と別体として成形した後に、ストッパ７１（７１’）や被押圧部７２（被押圧部６８ａ）をストッパ切換用板バネ６８（ストッパ切換用板バネ６８’）に固定してもよい。
【００３２】
また、被押圧部７２を、メモリカードによって押圧されたときに（多少）弾性変形する構造としてもよい。
【００３３】
さらにストッパ切換用板バネを切り欠かずにストッパ切換用板バネの一部を被押圧部として利用してもよい。
図２７〜図３１はこの技術思想を適用した変形例であり、このストッパ切換用板バネ６８’は、自由状態において水平をなす（上部ハウジング６５の天井部と同一平面上に位置する）前部６９と、前部６９の後縁部全体から後斜め下方に向かって延びる被押圧部６８ａと、被押圧部６８ａの後縁部から後方に延びかつ自由状態において水平をなす後部７０’と、を有している。後部７０’の先端部（後端部）には左側に向かって突出するストッパ７１’が形成してある（被押圧部６８ａはストッパ７１’の前面より前方に位置している）。ストッパ切換用板バネ６８’が自由状態にあるとき、ストッパ７１’の平面からなる前面（規制面）は前後方向に対して直交する。さらにスライダ４０が初期位置に位置しかつストッパ切換用板バネ６８’がストッパ有効位置に位置するとき、係合部５６の後面がストッパ７１’の平面からなる前面（規制面）に対して前方から面接触（係合）する（図２９参照）。
ストッパ切換用板バネ６８’を備えるメモリカード用コネクタ１０に対して正規姿勢のカードＭＣを挿入し（図２８参照）、切断角部ＭＣ２がスライダ本体４１（当接用端部４３）の正規挿入時当接部４９に当接すると、カードＭＣの上面の後端部（切断角部ＭＣ２の右側に位置する部分）が被押圧部６８ａを上方に押圧するので、ストッパ有効位置に位置していたストッパ切換用板バネ６８’が弾性変形してストッパ無効位置に移動する（図３０参照）。するとそれまで係合部５６の後面と係合していたストッパ７１’が係合部５６の上方に移動するので（図３０参照。図３０にストッパ７１’は図示されていないがストッパ７１’は後部７０’の先端部と同じ高さまで移動する）、スライダ４０は初期位置から押込位置側へスライド可能になる。
一方、非正規姿勢でカードＭＣをメモリカード用コネクタ１０に挿入した場合は、図３１に示すように、初期位置に位置するスライダ本体４１（当接用端部４３）の非正規挿入時当接部４８に対してカードＭＣの非切断角部ＭＣ３が当接し、カードＭＣとスライダ４０が一体化する。このときのカードＭＣの後端位置は正規姿勢でカードＭＣを挿入したときに比べて前方に位置するので、カードＭＣの上面の後端部は被押圧部６８ａを上方に押圧しない（被押圧部６８ａの前方に位置する。図３１参照）。そのため、ストッパ切換用板バネ６８’はストッパ有効位置に位置し、ストッパ７１’が係合部５６と当接し続ける。そのため、スライダ４０は初期位置から押込位置側へのスライドが規制されたままとなるので、この状態でカードＭＣを後方に押圧してもカードＭＣ及びスライダ４０が押込位置までスライドすることはない。
この変形例のメモリカード用コネクタ１０も上記実施形態と同様の作用効果を発揮可能です。
さらに当該変形例のメモリカード用コネクタ１０は、ストッパ切換用板バネ６８’を切り欠いておらず、しかも被押圧部６８ａをストッパ切換用板バネ６８’の左右幅全体に渡って形成してあるので、メモリカード用コネクタ１０がより小型化されたとしても、ストッパ切換用板バネ６８’の機械的強度を確保できる。
また被押圧部６８ａの左右幅が被押圧部７２より大きいので、カードＭＣを正規姿勢でメモリカード用コネクタ１０に挿入したときに、カードＭＣを被押圧部６８ａに対して確実に当接させることが可能である。
さらにストッパ切換用板バネ６８’がストッパ有効位置に位置するとき（自由状態にあるとき）、係合部５６の後面がストッパ７１’の前面（規制面）に対して面接触状態で係合するので、スライダ４０（係合部５６）の後方へのスライドをより確実に規制できる。
【００３４】
なお、ストッパ切換用板バネ６８’の被押圧部６８ａを、前部６９の後縁部から下方に向かって延びる形状としてもよい。
さらに、被押圧部６８ａをストッパ切換用板バネ６８’の左右幅全体に渡って形成する必要はなく、被押圧部６８ａの前縁部を前部６９の後縁部より狭幅にしてもよい。
【００３５】
ストッパ切換用板バネ６８がストッパ有効位置に位置するときに（自由状態にあるときに）、ストッパ７１の平面からなる前面（規制面）が前後方向に対して直交するようにストッパ７１を構成してもよい。
【００３６】
ストッパ切換用板バネ６８、６８’の上面を下方（斜め下方を含む）に向けて凹ませることにより、被押圧部７２や被押圧部６８ａに相当する部位を形成してもよい。
【００３７】
さらに被押圧部７２全体をストッパ７１の前面より前方に位置させる必要はなく、正規姿勢のメモリカードをメモリカード用コネクタに挿入したときに、メモリカードの上面の後端部が接触する（被押圧部７２の）部位をストッパ７１の前面より前方に位置させた上で、被押圧部７２の後端部をストッパ７１の前面より後方に位置させてもよい。
さらに、ストッパ切換用板バネ６８のストッパ７１と被押圧部７２の前後位置を逆にしてもよい。
【符号の説明】
【００３８】
１０    メモリカード用コネクタ
１５    下部ハウジング（ハウジング）
１６    金属製一体部材
１７    左側部構成片
１８    スライダ支持部
１９    左側壁部
２０    左側係止突起
２２    右側部構成片
２３    底部構成部
２４    右側壁部
２５    右側係止突起
２７    インシュレータ
２８    底面構成部
２９    コンタクト露出孔
３０    ブリッジ露出孔
３２    カムバー支持部
３３    カムバー支持溝
３４    後部壁
３５    バネ支持用突起
３７    スライド溝
３８    収納部
４０    スライダ
４１    スライダ本体
４２    直線状部
４３    当接用端部
４４    ハートカム溝
４４ａ  初期係合部
４４ｂ  押し込み時通過部
４４ｃ  保持部
４４ｄ  戻り時通過部
４５    ハート形凸部
４６    バネ支持軸
４８    非正規挿入時当接部
４９    正規挿入時当接部
５０    下面取付溝
５１    後端取付溝
５２    係止突部
５３    導通兼係合部材
５４    嵌合部
５５    底部
５６    係合部
５７    抜止溝
６０    カムバー
６１    前端係合突部
６２    後端係合突部
６５    上部ハウジング（ハウジング）
６５ａ  円形孔
６５ｂ  テール片
６６    係合孔
６７    カムバー付勢用板バネ
６８  ６８’  ストッパ切換用板バネ
６８ａ  被押圧部
６９    前部
７０  ７０’  後部
７１  ７１’  ストッパ
７２    被押圧部
７３    中央孔
Ｂ１〜Ｂ１８  切断ブリッジ
Ｃ１〜Ｃ８  コンタクト
Ｃ１ａ〜Ｃ８ａ  接触片
Ｃ１ｂ〜Ｃ８ｂ  テール片
Ｃ９    第一検知用端子
Ｃ１０  第二検知用端子
Ｃ９ａ  Ｃ１０ａ  接触片
Ｃ９ｂ  Ｃ１０ｂ    テール片
ＣＢ    回路基板
ＭＣ    ｍｉｃｒｏＳＩＭカード（メモリカード）
ＭＣ１  端子
ＭＣ２  切断角部
ＭＣ３  非切断角部
Ｓ１    圧縮コイルバネ
【図１】
0005735934.tif 000002
【図２】
0005735934.tif 000003
【図３】
0005735934.tif 000004
【図４】
0005735934.tif 000005
【図５】
0005735934.tif 000006
【図６】
0005735934.tif 000007
【図７】
0005735934.tif 000008
【図８】
0005735934.tif 000009
【図９】
0005735934.tif 000010
【図１０】
0005735934.tif 000011
【図１１】
0005735934.tif 000012
【図１２】
0005735934.tif 000013
【図１３】
0005735934.tif 000014
【図１４】
0005735934.tif 000015
【図１５】
0005735934.tif 000016
【図１６】
0005735934.tif 000017
【図１７】
0005735934.tif 000018
【図１８】
0005735934.tif 000019
【図１９】
0005735934.tif 000020
【図２０】
0005735934.tif 000021
【図２１】
0005735934.tif 000022
【図２２】
0005735934.tif 000023
【図２３】
0005735934.tif 000024
【図２４】
0005735934.tif 000025
【図２５】
0005735934.tif 000026
【図２６】
0005735934.tif 000027
【図２７】
0005735934.tif 000028
【図２８】
0005735934.tif 000029
【図２９】
0005735934.tif 000030
【図３０】
0005735934.tif 000031
【図３１】
0005735934.tif 000032